【事件の表示】
　上記当事者間の特許第５６８５７４４号発明「ウォーターサーバー」の特許無効審判事件について、次のとおり審決する。
【結　論】
　本件審判の請求は、成り立たない。
　審判費用は、請求人の負担とする。
【理　由】
　本件特許第５６８５７４４号（請求項の数［２］、以下、「本件特許」という。）は、平成２４年９月２５日に特許出願された特願２０１２−２１０６１１号に係るものであって、その請求項１〜２に係る発明について、平成２７年１月３０日に特許権の設定登録がなされた。
　そして、平成２８年２月４日に、本件特許の請求項１〜２に係る発明の特許に対して、本件特許無効審判請求人（以下「請求人」という。）により本件特許無効審判〔無効２０１６−８０００１７〕が請求されたものであり、本件特許無効審判被請求人（以下「被請求人」という。）により指定期間内の平成２８年５月１６日付けで審判事件答弁書が提出され、同年８月３日付けで請求人より証人尋問申出書、尋問事項書が提出され、同年８月５日付けで請求人より口頭審理陳述要領書、弁駁書が提出され、同年８月９日付けで被請求人より口頭審理陳述要領書が提出され、同年８月２２日付けで請求人より上申書が提出され、同年８月２６日付けで請求人より口頭審理陳述要領書（２）が提出され、同年８月２６日に第１回口頭審理及び証拠調べが行われ、同年９月２日付けで請求人より口頭審理陳述要領書（３）が提出され、同年９月１３日付けで被請求人より上申書が提出されたものである。
第２　当事者の主張の概要
１．請求人の主張
　請求人は、特許５６８５７４４号の請求項１〜２に係る発明についての特許を無効とする、審判費用は被請求人の負担とするとの審決を求め、以下の無効理由を主張した。
［無効理由］
　本件特許の請求項１及び２に係る各発明は、その出願前に頒布された甲第１〜３、６号証に記載された発明に基いて当業者が容易に発明をすることができたものであるから、特許法第２９条第２項の規定により特許を受けることができないものであり、その特許は同法第１２３条第１項第２号に該当し、無効とすべきである。
　具体的には、甲第２号証記載の発明を主引用発明として、
　ア．甲第１〜３、６号証に接した当業者が、本件特許発明１に想到することは容易。
　イ．甲第１〜３、６号証に接した当業者が、本件特許発明２に想到することは容易。
［証拠方法］
　甲第１号証　「微量元素Bikou/PRODUCTS　GUIDE/プロダクツガイド」
　甲第２号証　「Bikou　Water　Jr．の取扱説明書と保証書（裏表紙）」
　甲第３号証　特開２００２−２００４８２号公報
　甲第４号証　甲第２号証「Bikou　Water　Jr.」の第１頁の《整水器セット品》の分解斜視図に基づく縦断面説明図
　甲第５号証　本件特許発明の特許公報の図面に基づく縦断面説明図
　甲第６号証　特開２００８−１３６９４５号公報
　甲第７号証　甲第１号証・甲第２号証を印刷したゼロ企画（鳥取市丸山町２７５−１）のナキジンミネラル株式会社宛の平成１８年１月１０日付の納品書及び請求書
　甲第８号証の１　ナキジンミネラル株式会社の販売代理店である株式会社都羊の証明書
　甲第８号証の２　ナキジンミネラル株式会社の販売代理店である有限会社タック青山の証明書
　甲第８号証の３　ナキジンミネラル株式会社の販売代理店である長寿安こと橋本克己の証明書
　甲第８号証の４　ナキジンミネラル株式会社の販売代理店である村川貴和子の証明書
　甲第８号証の５　ナキジンミネラル株式会社の販売代理店である藤井設備こと藤井洋二の証明書
［人証］
　証人　藤井洋二、村川貴和子
２．被請求人の主張
　これに対して、被請求人は、本件審判請求は成り立たない、審判費用は請求人の負担とするとの審決を求め、請求人の無効理由に対して以下のように反論した。
［無効理由に対する反論］
　請求人の主張する無効理由には理由がない。
第３　本件に係る発明
　本件特許の請求項１〜２に係る発明は特許請求の範囲の請求項１〜６に記載された事項により特定される以下のとおりのものと認める。（「Ａ：」〜「Ｉ：」の文字は当審で付与。）
「【請求項１】
Ａ：注水用のノズルを備えたサーバー本体と、
Ｂ：前記注水用のノズルに水を供給するため、前記サーバー本体の上部に設けられたタンクとを備えたウォーターサーバーであって、
Ｃ：前記タンクは上部タンクと下部タンクとによって形成され、
Ｄ：前記上部タンクと下部タンクとの連通路に、セラミック粉に活性炭を含有させて焼成し、焼成した後のセラミックの粒度が０．１〜１．０μｍのセラミックフィルターが設けられ、
Ｅ：前記セラミックフィルターは、ねじ部が前記上部タンクの底部にパッキンを介してナットで固定され、
Ｆ：前記上部タンクには、ミネラル鉱石から抽出されたミネラルイオンを含有したミネラル凝集液を水に混合した混合水が充填され、
Ｇ：前記上部タンク内に充填された混合水が前記セラミックフィルターによって濾過されて前記下部タンクに貯水され、
Ｈ：前記ミネラル凝集液は、雲母を主体としたミネラル鉱石を食用酸によって酸処理することにより前記ミネラルイオンを抽出した水系凝集剤であることを特徴とするウォーターサーバー。
【請求項２】
Ｉ：前記ミネラル凝集液は、Ｃａイオン、Ｋイオン、Ｆｅイオン、Ｚｎイオン、Ｎａイオン、Ｃｕイオン、Ｍｎイオン、Ｃｒイオン、Ａｌイオン、Ｎｉイオン、Ｓｉイオン、Ｐイオン、Ｔｉイオン、Ｆイオン、Ｃｏイオンを少なくとも含有していることを特徴とする請求項１に記載のウォーターサーバー。」（以下、「本件特許発明１」等という。）
第４　甲第１〜３、６号証
１．甲第１、２号証について
１−１．甲第１、２号証が、本件特許出願前の公知資料であるか否かについて
（１）請求人の主張
　ア．「ナキジンミネラル株式会社・・の商品カタログである『微量元素Ｂｉｋｏｕ　ＰＲＯＤＵＣＴＳＧＵＩＤＥ　プロダクツガイド』（甲第１号証）は、ゼロ企画により平成１８年（２００６）１月１０日に印刷され納品された（甲第７号証）。これを証明するように甲第１号証の表紙の下方中央にはその印刷発行の年月である『２００６．１』が印字されている。また、この甲第１号証の裏面には、『お問い合わせはナキジンミネラル株式会社』と印刷してあり、その下方には電話番号、ＦＡＸ番号や受付可能曜日などが記されている。このことから、この甲第１号証は、ナキジンミネラル株式会社が自社製品の宣伝広告用に多数（３０００部）印刷して（甲第７号証）、配布したことが伺われる。また、この甲第１号証（頁が付されていないので、これ以降は開けて左の頁の左上の白抜き文字を頁番号に代える。）の『整水器』の頁には、健康ミネラル水を作る装置である『Ｂｉｋｏｕ　Ｗａｔｅｒ　Ｊｒ．』の全体写真とその説明文が記載されている。
　更に、前記甲第１号証と同時にゼロ企画により平成１８年（２００６）１月１０日に印刷され納品された（甲第７号証）取扱説明書及び保証書（甲第２号証）の第１〜第４頁には、『Ｂｉｋｏｕ　Ｗａｔｅｒ　Ｊｒ．』の『各部のなまえと働き』と『正しい使い方』が開示されおり、ここに分解斜視図、各部の説明文、使いかたの説明文等が記載されている。このような甲第２号証は、整水器『Ｂｉｋｏｕ　ＷａｔｅｒＪｒ．』を販売する際に包装用段ボールに入れて顧客に同時に渡したものであり、甲第１号証と共に少なくとも本件特許発明の出願日の平成２４年（２０１２）９月２５日までの６年８カ月の間に多数配布し公知である。その多数配布し公知にしたものの内の５名（社）の販売代理店に甲第１号証、甲第２号証を秘密の保持義務なく受領した旨の証明書を受けたので、それを甲第８号証の１乃至甲第８号証の５として提出し立証する。」（請求書第５〜６頁、○２　１））
　イ．「５．尋問事項
甲第８号証の４、甲第８号証の５の証明内容が正しいこと、すなわち甲第１号証及び甲第２号証が公知であることを両証人の証言によって立証する。」（尋問事項書）
　ウ．「（１）　甲１及び甲２は公知資料である。
ア．甲１の発行年月『２００６．１』は、この甲１の発行年月である。
甲７の納品書、請求書の日付（平成１８年１月１０日）とも一致していることからも明らかである。・・・
イ．甲８の１乃至甲８の５は、甲１及び甲２を配布したことを証明するに足る証明書である。これについては、証人尋問によって更に一層明らかにする。・・・
ウ．ナキジンミネラル株式会社の販売代理店は、甲８の１から甲第８の５までの証明者５名だけではなく、他にも存在し、更には在庫として蓄えておく分も存在するので、甲７の印刷部数とは一致しないのは当然である。
エ．甲７は、甲１及び甲２が頒布される前提としての印刷が２００６年１月になされたことを証明するものである。通常の商取引においては、納品書、請求書で商品が納入され代金の支払いは後日の支払日に支払われるものである。納入されれば、仮に代金が後払いであっても、又、極端には代金を仮に支払わなくても、頒布することは可能であるから、代金の支払いの有無でもって頒布の有無を判断するものではない。
オ．以上のことから、被請求人主張は悉く失当しており、甲１、２が頒布された公知資料であることに相違ないものである。」（審判事件弁駁書第２頁「６．第２　２」）
（２）証人尋問について
　請求人は、審判請求書において、「甲第２号証は、整水器『Ｂｉｋｏｕ　ＷａｔｅｒＪｒ．』を販売する際に包装用段ボールに入れて顧客に同時に渡したものであり、甲第１号証と共に少なくとも本件特許発明の出願日の平成２４年（２０１２）９月２５日までの６年８カ月の間に多数配布し公知である。その多数配布し公知にしたものの内の５名（社）の販売代理店に甲第１号証、甲第２号証を秘密の保持義務なく受領した旨の証明書を受けたので、それを甲第８号証の１乃至甲第８号証の５として提出し立証する。」とし、そのことに関して「甲第８号証の４、甲第８号証の５の証明内容が正しいこと、すなわち甲第１号証及び甲第２号証が公知であることを両証人の証言によって立証する。」証人尋問（平成２８年８月３日付け尋問事項書参照）を申し出た。
　
［証人尋問における当審の心証］
　平成２８年８月２６日に証拠調べ（証人尋問）を行ったところ，心証は以下のとおりである。
　ア．藤井洋二証人について
　（ア）証明書（甲第８号証の５）は、内容を確認の上、藤井洋二の自由な良心に従って自身で捺印したものとの心証を得た。（下記（ア１）参照）
　（イ）甲第８号証の５の証明内容が正しいものであるとの心証は形成出来ない。（下記（イ１）参照）
　（ア１）証人は、請求人代理人の「・・証人は先般、甲第８号証の証明書を、印鑑等をいただきまして、承認していただきましたが、この内容を確認の上、あなたの自由な良心に従って、ご自身で捺印されたことに相違ありませんか。・・」との尋問に対して、「はい。」と答えつつ、被請求人代理人の「・・甲８号証の５、これは証人が書いたのですか。」との尋問に対して、「はい。」と答え、さらに、陪席審判官の「この証明書はワープロとかで作っているように見えるんですけれども、その証明書を作ったのは証人なんでしょうか、別の人が作ったんでしょうか。ワープロで打ち込んだ人ですね。」との尋問に対して、「これは自分では、僕は使えないので、これは打ってもらいました。」と答え、続く「では文章は、証人が口で誰かに伝えるとか、紙にペンで書いたりするかして、原稿として渡して、誰かがワープロに打ってくれたというふうに打ってもらったというふうに理解していいのでしょうか。」との尋問に対して、「はい。」と答え、続く「はい。わかりました。次に、ハンコが押されているんですけれども、ハンコは証人が自分で押されましたでしょうか。」との尋問に対して、「はい。」と答え、証明書の作成者についての証言が曖昧でありつつも、自身で捺印したことについては、一貫性のある証言を行っており、その証言が偽りであるとする合理的な理由も存在しない。
　（イ１）証人は、(a)被請求人代理人の「何台ぐらいお売りになったか、何を何台お売りになったか。平成１４年から３０台なのか、平成２４年から３０台なのか、その辺が明確じゃないので、伺っているだけです。」との尋問に対して、「平成えーっと…そこに書かれている時分からだと思います。その平成、１４年じゃないし、平成２４年だったかな。…すみません、平成、そのぐらい、ちょっと。」と答え、さらに、陪席審判官の「それの販売をしておられわけですね。その商品を最初に受け入れたのは、いつごろか記憶はありますか。何年ぐらいでもいいですし、覚えていなかったら、覚えていないでも、結構なんですが。最初に手元に来た時期ですね。」との尋問に対して、「はっきり覚えていないです。」と答え、続く「・・それを最初に受け取った時期とか、記憶、言えますでしょうか。何年ぐらいとか。」との尋問に対して、「正確には余り覚えていないです。」と答え、甲第１号証を提示しての「それを最初に受け取った時期とか、記憶、言えますでしょうか。何年ぐらいとか。」との尋問に対して、「正確には余り覚えていないです。」と答え、続く「はい。大体でもわかりませんかね。無理はしなくていいんですけど、１０年ぐらい前だとか、５年ぐらい前だとか、無理しなくていい、わからないということでいいでしょうかね。」との尋問に対して、無言であり、時期等の記憶は相当曖昧であった。
(b)また、上記（ア１）に摘記したように、比較的記憶が明確と思われる、証明書の文章を自分が考えた文章であるか否かについての証言からして曖昧であり、(c)さらに、仮に、他人が作成した文章に押印するケース（なお、別々の名義で作成されている、甲第８号証の１〜５は、それらの文章、フォントが同じであることから、甲第８号証の５は、藤井洋二証人が考えた文章ではない蓋然性が高いと考える。）にあっては、その内容確認が正確な記憶に基づいてなされているとの心証を形成するには、相当の具体的証明が必要と考えるところ、証人の証言は、細部の記憶について相当曖昧であり、藤井洋二証人の証言から、甲第８号証の５の証明内容が正しいものであるとの心証は形成出来なかった。
　イ．村川貴和子証人について
　（ウ）証明書（甲第８号証の４）は、内容を確認の上、村川貴和子の自由な良心に従って自身で捺印したものとの心証を得た。（下記（ウ１）参照）
　（エ）甲第８号証の４の証明内容が正しいものであるとの心証は形成出来ない。（下記（エ１）参照）
　（ウ１）証人は、請求人代理人の「証明書、これは甲第８号証の４・・前、書いていただいた証明書でありますけれども、それは、そこに村川さんの印鑑を押してありますので、それは内容を確認の上、あなた自身の良心に従って、ご自身で捺印されたことに相違ございませんでしょうか。」との尋問に対して、「はい、ありません。」と答えつつ、被請求人代理人の「この上申書と、それからあなたの証明書、甲第８号証の４、それもご自分で書かれたものですね。ご自分の自筆で書いて・・・自分でタイプを打ったんですか。」との尋問に対して、「そうです、はい。」と答え、続く「自分でパソコン打ったんですか、これをつくる際に。これもご自分で。」との尋問に対して、「自分です。」と答え、さらに、陪席審判官の「この証明書というのを出していただいているんですが・・これについて、・・多分ワープロだと思うんですけれども、これは、ご本人が打たれたということでしょうか。それとも、誰かが打ってきたということでしょうか。」との尋問に対して、「作りました。」と答え、続く「ワープロで打ちましたということですね。それで、押印されたのも自分が直接押印されていますよね。」との尋問に対して、「はい。そうです。」と答え、自身で捺印したことについては、一貫性のある証言を行っており、その証言が偽りであるとする合理的な理由も存在しない。
　（エ１）(a)まず、甲第８号証の１〜５が、別々の名義で作成されているにもかかわらず、それらの文章、フォントが同じであることを考慮すると、甲第８号証の４は、村川貴和子証人が考えた文章ではない蓋然性が高いと考られる。
　そして、証人が、請求人代理人の「印鑑等をいただきまして、承認していただきました」ことを肯定しつつ、被請求人代理人の「証人が書いた」ことも肯定していることから、証言から、上記甲第８号証の４は、村川貴和子証人が考えた文章ではない蓋然性を否定する心証は形成できない。
(b)また、証人は、請求人代理人の「次、ナキジンミネラル株式会社から、甲第１号証小紙の小冊子『微量元素プロダクツガイド』のカタログを、平成１８年４月に約１００部を受領し、系列の複数の小売販売店へ配布したとありますが、この最初の配布の時期、配布先の小売販売店の数、１小売販売店宛ての配布部数はどのぐらいでしたでしょうか。」との尋問（請求人代理人が提示した時期、部数について同意を得る形式の尋問）に対して、「配布時期は、それ以降、はっきりした日にちは覚えていませんけれども、それ以降、間もなく配布しております。そして、代理店の数は、約５、６店舗です。そして、１件当たりは１０から２０ぐらい配布しております。」と答え、陪席審判官の「・・Ｂｉｋｏｕ　Ｗａｔｅｒ　ＪＲ．というウオーターサーバーと言うんでしょうか、浄水器と言うんでしょうか、この商品についてなんですが、それを最初に受け入れられたのは、いつごろか記憶はありますでしょうか。・・」との尋問に対して、「第１号機、十・・・、平成元年だから・・・、はっきりした記憶はないです。」と答え、「微量元素プロダクツガイド・・それを最初に受領されたのはいつごろか、記憶はありますか。今の時点で。」との尋問に対して、「平成１８年に１００部ぐらいは・・・。はい。」と答え、続く「それは、この書類を見てわかっているわけじゃなくて、自分で暗記して。大体その頃はという・・・」との尋問に対して、「はっきりした記憶はないです。」と答え、続く「ないですけれども、それは違う時期だということもなく、大体このころだなというふうに納得できる数字なわけですね。」との尋問に対して、「はい。」と答え、時期に関して、甲第８号証の４に直接記載されている「微量元素プロダクツガイド・・平成１８年」との時期については、具体的に回答してはいるものの、甲第２号証取扱説明書と保証書の受け入れ時期と関連するＢｉｋｏｕ　Ｗａｔｅｒ　ＪＲ．製品の受け入れ時期等については、「はっきりした記憶はないです。」と回答しており、時期を特定、若しくは推定し得る証言は引き出せなかった。
(c)そして、他人が作成した文章に押印するケースにあっては、その内容確認が正確な記憶に基づいてなされているとの心証を形成するには、相当の具体的証明が必要と考えるところ、証人の証言から、予め書面に記載されていたであろう年月等の内容の確認が、証人の正確な記憶によって、正確になされていたとの心証は形成出来ず、村川貴和子証人の証言から、甲第８号証の４の証明内容が正しいものであるとの心証は形成出来なかった。
（３）甲第８号証の１乃至甲第８号証の３証明書について
　甲第８号証の１乃至甲第８号証の５は、別々の名義で作成されているにもかかわらず、文章、フォントが同じであることから、甲第８号証の１乃至甲第８号証の５の文章は、各名義人が個別に作成した文章ではない蓋然性が高いと考える。
　そして、仮に、他人が作成した文章に押印するケースにあっては、その内容確認が正確な記憶に基づいてなされているとの心証を形成するには、相当の具体的根拠が必要と考えるところ、甲第８号証の１乃至甲第８号証の３については、証人尋問も請求されず、その内容確認が正確な記憶に基づいてなされていることを確認し得る様な証拠も提出されていない。
　そうすると、甲第８号証の１乃至甲第８号証の３の証明内容が正しいものであるとの心証は形成出来ない。
（４）甲第１、２、７号証について
　甲第１、２、７号証においても、現時点までに甲第１号証プロダクツガイド、甲第２号証取扱説明書及び保証書が実在したこと、及び、平成１８年１月１０日にナキジンミネラル（株）に対して「カタログ（ＰＲＯＤＵＣＴＳＧＵＩＤＥ）」「説明書（Ｂｉｋｏｕ　Ｗａｔｅｒ　Ｊｒ．）」の納品があったことが推認されるものの、甲第１号証プロダクツガイド、甲第２号証取扱説明書及び保証書が、甲第８号証の１乃至甲第８号証の５の名義人である販売代理店が秘密の保持義務なく受領したものであることや、平成２４年（２０１２）９月２５日までの６年８カ月の間に多数配布され公知であったことを証明できるものではない。
（５）そうすると、甲第１、２号証が、本件特許出願前の公知資料であるとは認定できない。
１−２．甲第１、２号証の記載事項（予備的検討）
　上記１−１．記載のように、甲第１、２号証は、請求人の提出した証拠をもとに、本件特許出願前の公知資料であると認定できるものではないが、仮に、甲第１、２号証が、本件特許出願前の公知資料であるとした場合についても予備的に検討するため記載事項を認定する。
（１）甲第１号証の記載事項
　甲第１号証には、「微量元素」に関して、次の事項が記載されている。
　（ア）「微量Bikou元素　PRODUCTS　GUIDE　プロダクツガイド」（表紙の上方）
　（イ）「２００６．１」（表紙の下方中央）
　（ウ）「会社概要
　会社名　ナキジンミネラル株式会社・・・
　創業　平成８年４月２３日・・・
　事業内容　
　　Ｂｉｋｏｕミネラル商品（飲料水、農産品、健康用他）の研究と開発及び製造と販売・・」（「ＮＡＫＩＪＩＮ　ＭＩＮＥＲＡＬ　ＧＯ．，ｌｔｄ．」の頁）
　（エ）「
」（「Ｂｉｋｏｕ微量元素」の頁）
（オ）「
」（「ウエルネス　セレクション　シリーズ」の頁）
（カ）「
」（「整水器」の頁）
　（キ）「
」（「整水器」の頁の右側の頁）
　（ク）「お問い合わせは　　ナキジンミネラル株式会社・・・」（裏表紙）
（２）甲第２号証の記載事項
　甲第２号証には、「Bikou　Water　Jr．」に関して、次の事項が記載されている。
　（ア）「
」（「表紙」の頁）
　（イ）「
」（１頁）
　（ウ）「
」（３頁）
　（エ）「
」（５頁）
　（オ）「保証書」（「保証書」の頁）
　上記記載事項から、甲第２号証には、次の発明が記載されているものと認められる。
「整水器台と、蛇口を備えた下容器と、下容器の上部に設けられた上容器とを備えた整水器であって、
　上容器と下容器との連通路に、セラミックフィルター及び活性炭が設けられ、
　前記セラミックフィルターは、下方に伸びる部分が上容器の底部に取付パッキンを介して取付ナットで固定され、
　上容器には、Bikouのしずくを水に混合した混合水が充填され、
　上容器内に充填された混合水がセラミックフィルター、及び活性炭によって濾過されて下容器に貯水される整水器。」（以下、これを「引用発明」という。なお、甲第１号証にも甲第２号証の整水器と同じものと推測される「Bikou　Water　Jr．」の写真及び説明が存在するが、審理事項通知書で請求人に確認の上、甲第２号証記載の発明を主となる引用発明とした。）
２．甲第３号証の記載事項
　本件特許出願前に頒布された刊行物である甲第３号証には、「浄水器」に関して、次の事項が記載されている。
　（ア）「【請求項１】内部空間を有するセラミックフィルタと、
給水管と吐水管が取り付けられ、前記セラミックフィルタを内包する筐体と、
前記給水管と連通し、前記セラミックフィルタの外面と前記筐体とによって囲まれた給水用スペースと、
前記吐水管と連通し、前記セラミックフィルタの内部空間である吐水用スペースと、
前記給水用スペースから前記吐水用スペースへは前記セラミックフィルタを介してのみ通水可能に構成するシール構造体とを備えた浄水器において、
前記シール構造体は、
前記セラミックフィルタの外周に沿って設けられた添設部材と、
前記筐体と一体化され、前記内部空間の開口を閉鎖する第１保持部と、
前記第１保持部との間で前記添設部材を挟み込んで前記内部空間の開口を水密に閉鎖する第２保持部とを備えたことを特徴とする浄水器。
【請求項２】前記セラミックフィルタは、活性炭含有セラミックにより形成されていることを特徴とする請求項１記載の浄水器。」
　（イ）「【０００１】
【発明の属する技術分野】本発明は、供給された水をセラミックフィルタで浄化して外部へ吐出する浄水器に関する。
・・・
【００１３】ブロックフィルタ１０は、微細孔（コンマ数μｍの孔）を有するセラミックフィルタであり、・・・」
　（ウ）「【００１４】・・・第２圧縮成形体５２は、粉末の活性炭と粘土と水とを混練したあと造粒し、この造粒物を予め第１圧縮成形体５１がセットされた型内に充填され、油圧プレスして先に述べた形状に成形したものである。なお、両成形体５１，５２は活性炭の有無以外は同じ組成とすることにより、両成形体５１，５２を焼成したときに略一様に焼結できる。また、ブロックフィルタ１０の孔径の大きさは、例えばプレス時の圧力や焼成温度等を変化させることで調節できる。」
３．甲第６号証の記載事項
　本件特許出願前に頒布された刊行物である甲第６号証には、「天然ミネラル含有剤、及びそれらの製造方法」に関して、次の事項が記載されている。
　（ア）「【請求項１】
　雲母系鉱物を、リンゴ酸、クエン酸、フマール酸、酒石酸及び乳酸からなる群から選ばれる少なくとも１種の有機酸又はその塩の水溶液と接触させ、雲母系鉱物中に含有されるミネラル成分を前記有機酸中に抽出することを特徴とする天然ミネラル含有液の製造方法。」
　（イ）「【請求項７】
　リンゴ酸、クエン酸、フマール酸、酒石酸及び乳酸からなる群から選ばれる少なくとも１種の有機酸又はその塩の水溶液により抽出され、雲母系鉱物中に含有されるミネラル成分を２０００〜３００００ｐｐｍ含み、かつｐＨが１〜３であることを特徴とする天然ミネラル含有液。」
　（ウ）「【０００１】
　本発明は、排水、汚水、廃水などの浄化処理、湖沼、池、河川など水質改善、浴場、プールの水質改善、芝、園芸用の土壌改良などの分野のみならず、飲食料、化粧品、医療品、農園芸、漁業などの分野にも安全に使用できる天然ミネラル含有剤、及びそれらの製造方法に関する。
・・・
【００２４】
＜ミネラル含有液＞・・・Ｌｉ、Ｚｒ、Ｖ、Ｎｉ、Ｃｏ、Ｐ、Ｂａ、Ｓなどの微量成分が抽出され、これらのミネラル成分がバランスよく含まれるミネラル含有液が得られる。」
　（エ）「【００２５】
　なお、本発明における有機酸又はその塩の水溶液による雲母系鉱物の抽出の場合、雲母系鉱物中のＨｇ、Ａｓ、Ｐｂ、Ｃｄ、Ｃｒなどの有害な成分は驚くことにほとんど抽出されない。その結果、本発明により得られるミネラル含有液は、有機酸自体が弱酸であり、飲食料品や医療薬品などの分野で添加物として既に使用されることもあり、極めて多くの分野に使用できるので極めて有用である。」
　（オ）「【００２６】
　ミネラル含有液は、必要に応じて、水で希釈したり、或いは、蒸発や透析などにより濃縮し、液状乃至ゼリー状などの形態で使用できる。」
第５　無効理由ア．（本件特許発明１）についての当審の判断
１．当審の判断アＩ
　上記「第４　１．１−１．」に記載したように、甲第１、２号証は、本件特許出願前の公知資料であるとは認定できない。
　そうすると、「本件特許の請求項１に係る発明は、その出願前に頒布された甲第１〜３、６号証に記載された発明に基いて当業者が容易に発明をすることができたものであるから、特許法第２９条第２項の規定により特許を受けることができないもの」とはいえない。
２．当審の判断アＩＩ（予備的判断）
　上記「第４　１．１−１．」に記載のように、甲第１、２号証は、請求人の提出した証拠をもとに、本件特許出願前の公知資料であると認定できるものではないが、仮に、甲第１、２号証が、本件特許出願前の公知資料であるとした場合についても予備的に検討する。
２−１．本件特許発明１と引用発明との対比
　本件特許発明１と引用発明を対比する。
(a)引用発明の「蛇口」は、本件特許発明１の「注水用のノズル」に相当し、以下同様に、
「整水器台」及び「蛇口を備えた下容器」は「サーバー本体」に、
「下容器の上部に設けられた上容器」は、下容器に対して水を供給し、その水が蛇口に供給されるものであることが自明であるので、「前記注水用のノズルに水を供給するため、前記サーバー本体の上部に設けられたタンク」、及び「上部タンク」に、
「整水器」は「ウォーターサーバー」に、
「下容器」は「下部タンク」に、
セラミックフィルターの「下方に伸びる部分」は、取付ナットが固定される部分であるので、「ねじ部」に、
「取付パッキン」は「パッキン」に、
「取付ナット」は「ナット」に、
それぞれ相当する。
(b)引用発明の「上容器と下容器との連通路に、セラミックフィルター及び活性炭が設けられ」る構成と、本件特許発明１の「前記上部タンクと下部タンクとの連通路に、セラミック粉に活性炭を含有させて焼成し、焼成した後のセラミックの粒度が０．１〜１．０μｍのセラミックフィルターが設けられ」る構成とは、前記上部タンクと下部タンクとの連通路に、セラミックフィルターが設けられる構成である点で共通する。
(c)引用発明の「Bikouのしずく」と、本件特許発明１の「ミネラル鉱石から抽出されたミネラルイオンを含有したミネラル凝集液」とは、添加物である点で共通する。
(d)引用発明の「上容器内に充填された混合水がセラミックフィルター、及び活性炭によって濾過されて下容器に貯水され」る構成は、本件特許発明１の「前記上部タンク内に充填された混合水が前記セラミックフィルターによって濾過されて前記下部タンクに貯水され」る構成に相当する。
　そうすると、両者は、
「Ａ：注水用のノズルを備えたサーバー本体と、
Ｂ：前記注水用のノズルに水を供給するため、前記サーバー本体の上部に設けられたタンクとを備えたウォーターサーバーであって、
Ｄ’：前記上部タンクと下部タンクとの連通路に、セラミックフィルターが設けられ、
Ｅ：前記セラミックフィルターは、ねじ部が前記上部タンクの底部にパッキンを介してナットで固定され、
Ｆ’：前記上部タンクには、添加物を水に混合した混合水が充填され、
Ｇ：前記上部タンク内に充填された混合水が前記セラミックフィルターによって濾過されて前記下部タンクに貯水されるウォーターサーバー。」
　で一致し、次の点で相違する。
相違点１：タンクが、本件特許発明１は、「上部タンクと下部タンクとによって形成され」るものであるのに対し、引用発明は、「下容器の上部に設けられた上容器」であって、「下部タンク」は「サーバー本体」の一部品である点。
相違点２：セラミックフィルターが、本件特許発明１は、「セラミック粉に活性炭を含有させて焼成し、焼成した後のセラミックの粒度が０．１〜１．０μｍ」のセラミックフィルターであるのに対し、引用発明のセラミックフィルターは、そのようなものであるか否か不明である点。
相違点３：添加物が、本件特許発明１は、「ミネラル鉱石から抽出されたミネラルイオンを含有したミネラル凝集液」であって、「雲母を主体としたミネラル鉱石を食用酸によって酸処理することにより前記ミネラルイオンを抽出した水系凝集剤」であるのに対し、引用発明の「Bikouのしずく」は、そのようなものであるか否か不明である点。
２−２．相違点についての検討
（１）相違点１について
　ア．相違点１に関して、請求人は、平成２８年８月５日付け口頭審理陳述要領書において、本件「タンク３」は、甲２「上容器１１’と下容器１２’」に対応すると主張しているが、当該口頭審理陳述要領書では、本件「サーバー本体２」は、甲２「下容器１２’と整水器台」に対応するとの主張もしており、上記「２−１．(a)」においては、後者の主張を採用して「整水器台」及び「蛇口を備えた下容器」が、「サーバー本体」に相当するものと認定したので、「下容器」は、「サーバー本体」の一部分を構成するものであって、「サーバー本体の上部に設けられたタンク」に相当するものとすることはできない。
　逆に、前者の主張を採用すると、蛇口を備える部材が下容器である以上、本件特許発明１の「注水用のノズルを備えたサーバー本体」及び「サーバー本体の上部に設けられたタンク」に相当する構成が存在しなくなる。
　イ．請求人は、平成２８年８月５日付け口頭審理陳述要領書において、「（本件特許発明１の）サーバー本体２は、上部タンク１１からセラミックフィルター１５を通過して浄化された水を下部タンク１２で貯めたものを更に下方位置のタンクで貯めてこれをノズル２を経由してを吐出するものであることから、下部タンクの数が一つ増加しただけの構成で、甲第１号証、第２号証とは、実質同じ作用効果を有しているものであります。してみると、使用する言葉は異なりますが、実質、本件特許発明も、下部タンクの上に下部タンク１２を載せる構成を採用しており、甲第１号証、甲第２号証の構成から当業者であるならば容易に想到できる構成要件であります。」旨主張している。
　しかし、仮に同じ作用効果を有しているものであっても、構成を変更するには、変更後の構成とするための動機（課題）と、解決手段が必要であり、請求人の主張について検討しても、引用発明をあえて「下部タンクの数が一つ増加した」構成とする必然性及び動機付けは認識できない。
　また、部品数の増加は、工業製品一般において、コストやメンテナンスの面からも望ましくないと考えられることでもある。
　ウ．さらに、引用発明をあえて「下部タンクの数が一つ増加した」構成とすることは、甲第１〜３、６号証の何れにも記載も示唆もされていない。
　そうすると、請求人の主張を検討してみても、引用発明及び甲第１〜３、６号証記載の事項に基づいて、本件特許発明１の相違点１に係る発明特定事項とすることが当業者が容易に想到し得たことということはできない。
（２）相違点２について
　甲第３号証には、浄水器（引用発明の「整水器」及び本件特許発明１の「ウォーターサーバー」に相当するもの）に使用するセラミックフィルタとして、「粉末の活性炭と粘土と水とを混練したあと造粒し・・焼成・・焼結」（「【００１４】）を使用することが示されている。
　また、甲第３号証には「ブロックフィルタ１０は、微細孔（コンマ数μｍの孔）を有するセラミックフィルタであり、・・・孔径の大きさは、例えばプレス時の圧力や焼成温度等を変化させることで調節できる。」と、適宜の値の孔径とすることも示唆されており、本件特許発明１の「焼成した後のセラミックの粒度が０．１〜１．０μｍ」なる数値が、コンマ数μｍの適宜の値の孔径とすることにあたり選択困難な値であるとも認められない。
　そして、甲第３号証の浄水器は、引用発明の「整水器」と同じ技術分野に属するものであるので、引用発明の「セラミックフィルター」及びそれと併用される「活性炭」を、甲第３号証記載の「粉末の活性炭と粘土と水とを混練したあと造粒し・・焼成・・焼結」したものとするとともに、適宜の孔径を選択して、本件特許発明１の相違点２に係る構成とすることは、当業者が容易に想到し得たことと認められる。
（３）相違点３について
　甲第６号証には、「雲母系鉱物を、リンゴ酸、クエン酸、フマール酸、酒石酸及び乳酸からなる群から選ばれる少なくとも１種の有機酸又はその塩の水溶液と接触させ、雲母系鉱物中に含有されるミネラル成分を前記有機酸中に抽出することを特徴とする天然ミネラル含有液の製造方法」（【請求項１】）が、「飲食料品や医療薬品などの分野で添加物として既に使用されること」（【００２５】）、「ミネラル含有液は、必要に応じて、水で希釈した・・形態で使用できる。」（【００２６】）こととともに記載されており、引用発明の飲用水に混合する「Bikouのしずく」にかえて、甲第６号証記載の天然ミネラル含有液を使用して、本件特許発明１の相違点３に係る構成とすることは、当業者が容易に想到し得たことと認められる。
２−３．小括
　そうすると、仮に、甲第１、２号証が、本件特許出願前の公知資料であるとしても、引用発明及び甲第１〜３、６号証記載の事項に基づいて、本件特許発明１の相違点１に係る発明特定事項とすることが当業者が容易に想到し得たということはできず、本件特許発明１は、引用発明及び甲第１〜３、６号証記載の事項に基づいて出願前に当業者が容易に発明をすることができたものであるとはいえない。
第６　無効理由イ．（本件特許発明２）についての当審の判断
１．当審の判断イＩ
　上記「第４　１．１−１．」に記載したように、甲第１、２号証は、本件特許出願前の公知資料であるとは認定できない。
　そうすると、「本件特許の請求項２に係る発明は、その出願前に頒布された甲第１〜３、６号証に記載された発明に基いて当業者が容易に発明をすることができたものであるから、特許法第２９条第２項の規定により特許を受けることができないもの」とはいえない。
２．当審の判断イＩＩ（予備的判断）
　上記「第４　１．１−１．」に記載のように、甲第１、２号証は、請求人の提出した証拠をもとに、本件特許出願前の公知資料であると認定できるものではないが、仮に、甲第１、２号証が、本件特許出願前の公知資料であるとした場合についても予備的に検討する。
　本件特許発明２は、本件特許発明１にさらに
「Ｉ：前記ミネラル凝集液は、Ｃａイオン、Ｋイオン、Ｆｅイオン、Ｚｎイオン、Ｎａイオン、Ｃｕイオン、Ｍｎイオン、Ｃｒイオン、Ａｌイオン、Ｎｉイオン、Ｓｉイオン、Ｐイオン、Ｔｉイオン、Ｆイオン、Ｃｏイオンを少なくとも含有している」との限定を付したした発明であるので、本件特許発明１と引用発明とは、少なくとも上記相違点１〜３で相違するものである。
　そして、上記「第５　２．」「２−２．」〜「２−３．」記載の如く、本件特許発明１は、引用発明及び甲第１〜３、６号証記載の事項に基づいて、出願前に当業者が容易に発明をすることができたものであるということはできないので、本件特許発明２も同様に、引用発明及び甲第１〜３、６号証記載の事項に基づいて、出願前に当業者が容易に発明をすることができたものとはいえない。
第７　むすび
　以上のとおり、請求人の主張する理由及び証拠方法によっては、本件特許発明１〜２に係る特許を無効とすることができない。
　審判に関する費用については、特許法第１６９条第２項の規定において準用する民事訴訟法第６１条の規定により、請求人が負担すべきものとする。
　よって、結論のとおり審決する。